(57)【要約】【課題】ポンプヘッド部が押し込まれる往路のみならず、ポンプヘッド部が上方に押し戻される復路においても、内容液を空気と混合させて泡状にして吐出できる泡吐出器を提供する。【解決手段】大径のエアシリンダー２４と、上部縮径部２８ａ及び下部拡径部２８ｂを備える小径の液シリンダー２８とを含むシリンダー部１７と、空気ピストン１６と、第一液ピストン１４と、第ニ液ピストン１５とを含むピストン部２０とを有している。エアシリンダー２４の中空内部は、空気ピストン１６の空気室密着外周部１６ａを備える空気室張出し部１６ｃによって、下方空気室２４ａと上方空気室２４ｂとに区画されている。これらの空気室２４ａ，２４ｂには、空気を導入する通気口２５ａ，２５ｂが各々形成されていると共に、通気口２５ａ，２５ｂを内側から開閉可能に覆って、逆止弁２６ａ，２６ｂが各々設けられている。【選択図】図２
2015098328.tif 000002
【特許請求の範囲】
【請求項１】
容器本体の口首部にキャップ部を介して装着され、該キャップ部に対して往復動可能に設けられるポンプヘッド部を有し、該ポンプヘッド部への押圧操作を行うことにより、混合室に内容液を送る液流路と、混合室に空気を送る空気流路とを開放し、混合室に送られた内容液を混合室から吐出口に至る発泡流路において発泡させて吐出する泡吐出器であって、
前記容器本体内に配置される大径のエアシリンダーと、該エアシリンダーから下方に連設して設けられた、上部縮径部及び下部拡径部を備える小径の液シリンダーとを含むシリンダー部と、
前記エアシリンダーの内周面に沿って密着摺動する空気室密着外周部を備える空気ピストンと、前記液シリンダーの前記上部縮径部の内周面に沿って密着摺動する上部液室密着外周部を備える、内側が液流通路となった第一液ピストンと、前記液シリンダーの前記下部拡径部の内周面に沿って密着摺動する下部液室密着外周部を備える第ニ液ピストンとを含むピストン部とを有しており、
前記空気ピストンは、前記第一液ピストンの外周面に沿って摺動可能に装着される筒状装着部と、該筒状装着部から外側に張り出して設けられた、周縁部に前記空気室密着外周部を備える空気室張出し部とからなり、該空気室張出し部によって、前記エアシリンダーの中空内部は、下方空気室と上方空気室とに区画されており、
前記第ニ液ピストンは、前記第一液ピストンの前記液シリンダーに配設される部分の外周面に沿って摺動可能に装着されると共に、内容液を流通させる切欠部を有する切欠筒状装着部と、該切欠筒状装着部から外側に張り出して設けられた、周縁部に前記下部液室密着外周部を備える液室張出し部とからなり、前記切欠筒状装着部の下端部は、前記第一液ピストンの下端部外周面から外側に突出して設けられた中間弁座部に開閉可能に密着する中間液開閉弁となっており、
前記第一液ピストンの下端開口には、前記液シリンダーの下端部に設けられた下部弁座部に開閉可能に密着する、下部液開閉弁を下端部に備える棒状弁体の摺動ロッド部が、前記第一液ピストンの内周面に沿って液密に密着した状態で摺動可能に挿入されており、
前記エアシリンダーの前記下方空気室と前記上方空気室には、これらの空気室に空気を導入する通気口が各々形成されていると共に、該通気口を内側から開閉可能に覆って、これらの空気室の内部への空気の流入を許容し、これらの空気室から外部への空気の流出を遮断する逆止弁が各々設けられており、
且つ前記ポンプヘッド部が押圧された際に、前記ポンプヘッド部を元の状態に戻すように上方に付勢する付勢手段が設けられている泡吐出器。
【請求項２】
前記エアシリンダーの外周面を外側から覆って、筒状被覆体が、当該外周面との間に隙間を保持した状態で取り付けられている請求項１記載の泡吐出器。
【発明の詳細な説明】
【技術分野】
【０００１】
本発明は、泡吐出器に関し、特に、容器本体の口首部に取り付けて用いられ、収容された内容液を空気と混合することにより泡状にして吐出する泡吐出器に関する。
【背景技術】
【０００２】
例えば液状の洗浄剤や毛髪剤等を収容し、容器を置いたままの状態でポンプヘッド部を押圧操作することにより、手等による撹拌などを使用者がおこなわずとも内容液を泡状にして吐出させる、ポンプフォーマー容器等の泡吐出容器が種々開発されている。このような泡吐出容器では、容器本体の口首部に、内容液を空気と混合することにより泡状にして吐出する泡吐出器が装着されている。泡吐出器は、例えば容器本体の口首部に装着されるベースキャップ部に、内容液の吸引、加圧、排出を行うピストン（液ピストン）と、空気の吸引、加圧、排出を行うピストン（エアピストン）とをそれぞれ同心状の直列配置にして組み入れたシリンダ部からなるポンプが設けられている。そして、ベースキャップ部の上方に突出するポンプヘッド部の押し込みによりポンプの各ピストンを作動させ、内容液と空気とをそれぞれシリンダ部内で加圧、排出して合流空間で相互に混合し、メッシュリング等の泡生成部材を通過させることで泡状にして内容液を外部に吐出させる構造となっている（例えば、特許文献１参照）。
【０００３】
しかしながら、従来の泡吐出器は、ポンプヘッド部を押し込む操作を行った際にのみ、内容液を空気と混合させることで泡状にして吐出口から吐出させる構造となっており、ポンプヘッド部が押し込まれた後に、ポンプヘッド部を元の状態に復帰させるためのスプリング等の付勢手段の作用によって、ポンプヘッド部が上方に押し戻される際にも、内容液を泡状にして外部に吐出させる機能は備えていなかった。
【０００４】
一方、空気供給用の第１シリンダー内に液供給用の第２シリンダーを同心円状に設け、特殊構成の上下動部材により上下動部材の下降時及び上昇時に気液を吸い上げ混合出来、気液合流点下流に設けた起泡層により発泡させてノズルより吐出することが出来る様に構成することで、ノズルヘッド（本願のポンプヘッドに相当）の上下動に伴い常時泡を噴出することが出来、効率の良い泡の噴出を行えるとされている、泡噴出容器（本願の泡吐出器に相当）が提案されている（特許文献２参照）。
【先行技術文献】
【特許文献】
【０００５】
【特許文献１】特開平７−３１５４６３号公報
【特許文献２】実開平６−４９３５２号公報
【発明の概要】
【発明が解決しようとする課題】
【０００６】
しかしながら、特許文献２の泡噴出容器（本願の泡吐出器に相当）は、ノズルヘッド（本願のポンプヘッドに相当）の上下動に伴い常時泡を噴出することが出来、効率の良い泡の噴出を行えるとされているが、ノズルヘッド上下動一往復間の泡吐出量は、従来の泡吐出器（例えば、特許文献１参照）のポンプヘッド部が押し込まれる往路の泡吐出量と同程度であり、効率の良い泡の吐出を行えるものではなかった。
【０００７】
本発明は、ポンプヘッド部が押し込まれる往路のみならず、押し込まれたポンプヘッド部が付勢手段の作用によって上方に押し戻される復路においても、内容液を空気と混合させて泡状にして吐出させることのでき、しかもポンプヘッドの往復動ストロークに見合った泡を吐出でき、従来の泡吐出器よりも効率の良い泡吐出を行うことができる泡吐出器を提供することを目的とする。
【課題を解決するための手段】
【０００８】
本発明は、容器本体の口首部にキャップ部を介して装着され、該キャップ部に対して往復動可能に設けられるポンプヘッド部を有し、該ポンプヘッド部への押圧操作を行うことにより、混合室に内容液を送る液流路と、混合室に空気を送る空気流路とを開放し、混合室に送られた内容液を混合室から吐出口に至る発泡流路において発泡させて吐出する泡吐出器であって、前記容器本体内に配置される大径のエアシリンダーと、該エアシリンダーから下方に連設して設けられた、上部縮径部及び下部拡径部を備える小径の液シリンダーとを含むシリンダー部と、前記エアシリンダーの内周面に沿って密着摺動する空気室密着外周部を備える空気ピストンと、前記液シリンダーの前記上部縮径部の内周面に沿って密着摺動する上部液室密着外周部を備える、内側が液流通路となった第一液ピストンと、前記液シリンダーの前記下部拡径部の内周面に沿って密着摺動する下部液室密着外周部を備える第ニ液ピストンとを含むピストン部とを有しており、前記空気ピストンは、前記第一液ピストンの外周面に沿って摺動可能に装着される筒状装着部と、該筒状装着部から外側に張り出して設けられた、周縁部に前記空気室密着外周部を備える空気室張出し部とからなり、該空気室張出し部によって、前記エアシリンダーの中空内部は、下方空気室と上方空気室とに区画されており、前記第ニ液ピストンは、前記第一液ピストンの前記液シリンダーに配設される部分の外周面に沿って摺動可能に装着されると共に、内容液を流通させる切欠部を有する切欠筒状装着部と、該切欠筒状装着部から外側に張り出して設けられた、周縁部に前記下部液室密着外周部を備える液室張出し部とからなり、前記切欠筒状装着部の下端部は、前記第一液ピストンの下端部外周面から外側に突出して設けられた中間弁座部に開閉可能に密着する中間液開閉弁となっており、前記第一液ピストンの下端開口には、前記液シリンダーの下端部に設けられた下部弁座部に開閉可能に密着する、下部液開閉弁を下端部に備える棒状弁体の摺動ロッド部が、前記第一液ピストンの内周面に沿って液密に密着した状態で摺動可能に挿入されており、前記エアシリンダーの前記下方空気室と前記上方空気室には、これらの空気室に空気を導入する通気口が各々形成されていると共に、該通気口を内側から開閉可能に覆って、これらの空気室の内部への空気の流入を許容し、これらの空気室から外部への空気の流出を遮断する逆止弁が各々設けられており、且つ前記ポンプヘッド部が押圧された際に、前記ポンプヘッド部を元の状態に戻すように上方に付勢する付勢手段が設けられている泡吐出器を提供することにより、上記目的を達成したものである。
【発明の効果】
【０００９】
本発明の泡吐出器によれば、ポンプヘッド部が押し込まれる往路のみならず、押し込まれたポンプヘッド部が付勢手段の作用によって上方に押し戻される復路においても、内容液を空気と混合させて泡状にして吐出させることができ、しかもポンプヘッドの往復動ストロークに見合った泡を吐出でき、従来の泡吐出器よりも効率の良い泡吐出を行うことができる。
【図面の簡単な説明】
【００１０】
【図１】本発明の好ましい一実施形態に係る泡吐出器が容器本体の口首部に取り付けられた泡吐出容器の断面図である。
【図２】本発明の好ましい一実施形態に係る泡吐出器の、ポンプヘッド部の押圧をする前の状態の断面図である。
【図３】本発明の好ましい一実施形態に係る泡吐出器の、ポンプヘッド部を押圧してポンプヘッド部を下方に押し込んでゆく状態の断面図である。
【図４】本発明の好ましい一実施形態に係る泡吐出器の、ポンプヘッド部を最後まで押圧した状態の断面図である。
【図５】本発明の好ましい一実施形態に係る泡吐出器の、ポンプヘッド部の押圧を開放してポンプヘッド部が上昇する状態の断面図である。
【図６】第ニ液ピストンの（ａ）は斜視図、（ｂ）は断面図である。
【発明を実施するための形態】
【００１１】
本発明の好ましい一実施形態に係る泡吐出器１０は、図１に示すように、いわゆるポンプフォーマー容器である泡吐出容器５０に取り付けて用いるポンプフォーマーであって、従来のポンプフォーマーと同様に、泡吐出容器５０の容器本体５１の口首部５２に装着されて、内容液を空気と混合することにより泡状にして吐出する機能を備える。すなわち、泡吐出器１０は、容器本体５１の口首部５２に装着されるキャップ部１１に取り付けられた、内容液の吸引、加圧、排出を行う液ピストン１４，１５と、空気の吸引、加圧、排出を行う空気ピストン１６とをそれぞれ同心状の直列配置にして組み入れたシリンダ部１７を含むポンプ１８を有している。そしてキャップ部１１の上方に突出するポンプヘッド部１２の押し込みによりポンプ１８の各ピストン部材１４，１５，１６を作動させ、内容液と空気をそれぞれシリンダ部１７内で加圧、排出して、これらをポンプ出側に合流空間として設けた混合室１３で混合し、泡状にして吐出口１２ａから外部に吐出させる。
なお、図１において泡吐出容器５０は肉厚の厚みを省略して、模式的に描かれている。
【００１２】
また、本実施形態の泡吐出器１０は、以下に詳述する構成を備えていることにより、ポンプヘッド部１２を押圧操作した際に、ポンプヘッド部１２が下方に押し込まれる往路のみならず（図３参照）、押し込まれたポンプヘッド部１２が付勢手段２９の作用によって上方に押し戻される復路においても（図５参照）、内容液を空気と混合させて泡状にして吐出させる機能を有している。
【００１３】
そして、本実施形態の泡吐出器１０は、図２〜図５に示すように、泡吐出容器５０の容器本体５１の口首部５２（図１参照）にキャップ部１１を介して装着され、キャップ部１１に対して往復動可能に設けられるポンプヘッド部１２を有し、ポンプヘッド部１２への押圧操作を行うことにより、混合室１３に内容液を送る液流路４０ａ，４０ｂ（図３、図５参照）と、混合室１３に空気を送る空気流路４１ａ，４１ｂ（図３、図５参照）とを開放し、混合室１３に送られた内容液を混合室１３から吐出口１２ａに至る発泡流路２１において発泡させて吐出するポンプフォーマーであって、容器本体５１内として好ましくは口首部５２の内側に配置される大径のエアシリンダー２４と、エアシリンダー２４から下方に連設して設けられた、上部縮径部２８ａ及び下部拡径部２８ｂを備える、エアシリンダー２４よりも小径の液シリンダー２８とを含むシリンダー部１７と、エアシリンダー２４の内周面に沿って密着摺動する空気室密着外周部１６ａを備える空気ピストン１６と、液シリンダー２８の上部縮径部２８ａの内周面に沿って密着摺動する上部液室密着外周部１４ａを備える、内側が液流通路６０となった第一液ピストン１４と、液シリンダー２８の下部拡径部２８ｂの内周面に沿って密着摺動する下部液室密着外周部１５ａを備える第ニ液ピストン１５とを含むピストン部２０とを有している。
【００１４】
空気ピストン１６は、図２に示すように、第一液ピストン１４の液シリンダー２８に配設される部分（下部ガイド円筒部３６）の外周面に沿って摺動可能に装着される筒状装着部１６ｂと、筒状装着部１６ｂから外側に張り出して設けられた、周縁部に空気室密着外周部１６ａを備える空気室張出し部１６ｃとからなり、この空気室張出し部１６ｃによって、エアシリンダー２４の中空内部は、下方空気室２４ａと上方空気室２４ｂとに区画されている。第ニ液ピストン１５は、図６（ａ）、（ｂ）にも示すように、第一液ピストン１４の外周面に沿って摺動可能に装着されると共に、内容液を流通させる切欠部１５ｄを有する切欠筒状装着部１５ｂと、切欠筒状装着部１５ｂから外側に張り出して設けられた、周縁部に下部液室密着外周部１５ａを備える液室張出し部１５ｃとからなり、切欠筒状装着部１５ｂの下端部は、第一液ピストン１４の下端部外周面から外側に突出して設けられた中間弁座部１４ｂに開閉可能に密着する中間液開閉弁１５ｅとなっている。
【００１５】
第一液ピストン１４の下端開口には、液シリンダー２８の下部拡径部２８ｂの下端部に設けられた下部弁座部２８ｃに開閉可能に密着する、下部液開閉弁１９ａを下端部に備える棒状弁体１９の摺動ロッド部１９ｂが、第一液ピストン１４の内周面に沿って液密に密着した状態で摺動可能に挿入されている。エアシリンダー２４の下方空気室２４ａと上方空気室２４ｂには、これらの下方空気室２４ａや上方空気室２４ｂに空気を導入する、下方空気室通気口２５ａ  や上方空気室通気口２５ｂが各々形成されていると共に、これらの通気口２５ａ，２５ｂを内側から開閉可能に覆って、これらの空気室２４ａ，２４ｂの内部への空気の流入を許容し、これらの空気室２４ａ，２４ｂから外部への空気の流出を遮断する逆止弁２６ａ，２６ｂが各々設けられている。且つポンプヘッド部１１が押圧された際に、ポンプヘッド部１１を元の状態に戻すように上方に付勢する付勢手段２９が設けられている。
【００１６】
また、本実施形態では、ポンプヘッド部１１を元の状態に戻すように上方に付勢する付勢手段２９は、第一液ピストン１４の下端部に設けられた中間弁座部１４ｂと、棒状弁体１９の下端部に設けられた下部液開閉弁１９ａとの間に圧縮状態で介在して、棒状弁体１９の外周部分を覆うように配置され、その下端部が下部液開閉弁１９ａに当接したコイル状のスプリング部材となっている。
【００１７】
本実施形態では、キャップ部１１は、円筒状のガイドステム２３を天井部１１ａから立設させて、容器本体５１の口首部５２に好ましくは螺合することによって装着される（図１参照）。ポンプヘッド部１２は、キャップ部１１のガイドステム２３に相対変位可能に挿入される中空パイプ２２を有しており、また上部先端部分には、泡状にした内容液を吐出する吐出口１２ａを備えている。ポンプヘッド部１２には、上部に泡生成部材３０が装着された接続筒体３１を中空パイプ２２との間に介在させて、第一液ピストン１４が一体として接続されている。ポンプヘッド部１２は、当該ポンプヘッド部１２が、中空パイプ２２をガイドステム２３に挿入しつつ下方に押圧された際に（図３参照）、第一液ピストン１４の下端部の中間弁座部１４ｂと、棒状弁体１９の下端部の下部液開閉弁１９ａとの間に配設された付勢手段としてのスプリング部材２９の作用によって、上方に付勢されるようになっている。
【００１８】
また、ポンプヘッド部１２の中空パイプ２２の外側には、これと同心状に配置されたスカート状カバー２７が、ガイドステム２３の外周面との間に隙間を保持した状態で、当該外周面に沿って上下にスライド移動するように設けられている。スカート状カバー２７が設けられていることにより、中空パイプ２２とガイドステム２３との間の隙間を介して外気がエアシリンダー２４の内部に吸引される際に、外気の吸引に伴ってこれらの隙間から、外気と共にポンプヘッド部１９やベースキャップ部１４の周囲の水がエアシリンダー２４の内部に流入するのを、相当程度防止することが可能になる。
【００１９】
本実施形態では、ポンプヘッド部１２の中空パイプ２２と第一液ピストン１４との間に介在して、これらを軸方向に一体として接続させる接続筒体３１は、中空パイプ２２の下端部に上端部が接続される略円筒形状の部分である。接続筒体３１の上端部には、嵌込み段差部３１ａが設けられている。この嵌込み段部３１ａを、中空パイプ２２の下端部内側面を切り欠いて形成された嵌込み切欠部２２ａに嵌め込むことにより、中空パイプ２２と接続筒体３１とが強固に接続される。また、接続筒体３１の上端部には、嵌込み段部３１ａから中空パイプ２２の外側まで張り出すように突出して、環状ストッパーリブ３１ｂが、周方向に連続して設けられている。環状ストッパーリブ３１ｂは、キャップ部１１のガイドステム２３の先端開口面の周縁部から径方向内側に張り出して設けられた環状当接リブ２３ａに、下方から当接することで、第一液ピストン１４及びポンプヘッド部１２がこれ以上上方に抜け出ないようにして、ポンプヘッド部１２の上死点を位置決めする。環状ストッパーリブ３１ｂは、ポンプヘッド部１２の上死点において、環状当接リブ２３ａの全周に亘って下方から密着した状態で当接することにより、シール機能を発揮して、例えば外部の水がキャップ部１１の内側に浸入するのを防止する。
【００２０】
また、接続筒体３１には、これの上部内周面から下方に延設して、当該接続筒体３１と同心状に配置される内側筒状部３２が、一体として設けられている。内側筒状部３２は、接続筒体３１の内周面から斜め下方に縮径しながら延設する基部縮径部３２ａと、基部縮径部３２ａの下端部から円筒形状に下方に延設する下部筒状部３２ｂとからなる。内側筒状部３２の基部縮径部３２ａよりも上方部分の、嵌込み段部３１ａとの間の接続筒体３１の内側には、泡生成部材３０が装着係止されると共に、下部筒状部３２ｂの下方には、当該下部筒状部３２ｂの下端面によって上方への移動を阻止された状態で、ボール弁３３が配設される。これらによって、内側筒状部３２の内側の空間は、泡生成部材３０を通過させるのに先立って、内容液を空気と混合させる合流空間としての混合室１３を形成する。
【００２１】
さらに、接続筒体３１における内側筒状部３２の基部縮径部３２ａよりも下方部分には、接続筒体３１の内周面に外周面を密着させて、第一液ピストン１４の後述する上部接続円筒部３４の上端部分が、上端を内側筒状部３２の基部縮径部３２ａに当接させるまで差し込んだ状態で、内側筒状部３２の下部筒状部３２ｂと接続筒体３１との間の間隔部分に、挿入嵌着される。これによって、接続筒体３１と第一液ピストン１４の上部接続円筒部３４とが強固に接続される。
【００２２】
さらにまた、接続筒体３１の下端部分には、これの内側面を全周に亘って切り欠くことで、当接切欠段差溝３１ｃが、第一液ピストン１４の上部接続円筒部３４の下端部外周面との間に形成されている。この当接切欠段差溝３１ｃには、空気ピストン１６に設けられた後述する開閉リング部１６ｄが挿入されて、これの先端面が切欠段差面対して離間可能に当接することにより、エアシリンダー２４の上方空気室２４ｂから混合室１３に至る第２空気流路４１ｂ（図５参照）を、開閉できるようになっている。
【００２３】
なお、当接切欠段差溝３１ｃの切欠段差面を除いた部分の内側面や、接続筒体３１における内側筒状部３２の基部縮径部３２ａよりも下方の部分の内側面や、内側筒状部３２の接続筒体３１側の裏面には、空気を流通させる空気流通溝４２が、上下方向に延設して切欠き形成されている。これらの空気流通溝４２が設けられていることにより、空気ピストン１６の開閉リング部１６ｄが、当接切欠段差溝３１ｃの切欠段差面から離間している状態で、エアシリンダー２４の上方空気室２４ｂから混合室１３に至る第２空気流路４１ｂ（図５参照）が、空気流通溝４２によって形成される。
【００２４】
本実施形態では、接続筒体３１を介してポンプヘッド部１９の中空パイプ２２と一体として接続される第一液ピストン１４は、軸方向に連設される、上部接続円筒部３４と、中間部ガイド円筒部３５と、下部ガイド円筒部３６とからなる。上部接続円筒部３４、中間部ガイド円筒部３５、及び下部ガイド円筒部３６の内側は、内容液が流通可能な液流通路６０となっている。上部接続円筒部３４は、接続筒体３１の内径と同様の外径を有する円筒形状の部分であって、上述のように、上端部分を、内側筒状部３２と接続筒体３１との間の間隔部分に差し込むと共に、接続筒体３１の内側面に外周面を密着させて、接続筒体３１に挿入嵌着されることで、接続筒体３１に一体として接続される。また、上部接続円筒部３４の中間部分の内周面から内側に突出して、ボール弁３３を開閉可能に密着載置させる上部弁座部３４ａが、中央の液流出口３４ｂを囲んで環状に連続して設けられている。ボール弁３３は、この上部弁座部３４ａと、接続筒体３１に設けられた内側筒状部３２の下部筒状部３２ｂの下端面との間に配置されて、上部接続円筒部３４の内側に、上下に僅かに移動可能な遊びを持った状態で装着される。
【００２５】
中間部ガイド円筒部３５は、上部接続円筒部３４の内径と同様の外径を有する円筒形状の部分であって、上部接続円筒部３４の内周面に上端部分の外周面を密着させた状態で、当該上端部分を上部接続円筒部３４の下端開口から挿入、嵌着することにより、軸方向に連設して上部接続円筒部３４に一体として接続される。中間部ガイド円筒部３５の下端部分には、段差当接部３５ａを介して拡径した下端拡径部３５ｂが設けられている。段差当接部３５ａの外周部分には、当該段差当接部３５ａに一体として形成された、液シリンダー２８の上部縮径部２８ａの内周面に沿って密着摺動する上部液室密着外周部１４ａが設けられている。
【００２６】
段差当接部３５ａと上部接続円筒部３４の下端部との間の、中間部ガイド円筒部３５の外周部分には、当該中間部ガイド円筒部３５をガイドとして、当該中間部ガイド円筒部３５の外周面に沿って上下に摺動可能な状態で、空気ピストン１６の筒状装着部１６ｂが装着される。また、下端拡径部３５ｂの外径は、上部接続円筒部３４の外径と同様となっており、下端拡径部３５ｂの内径は、上部接続円筒部３４の内径及び中間部ガイド円筒部３５の外径と同様となっている。下端拡径部３５ｂの内側には、これの内周面に下部ガイド円筒部３６の上端部分の外周面を密着させた状態で、当該上端部分を下端拡径部３５ｂに挿入嵌着することにより、下部ガイド円筒部３６が、軸方向に連設して中間部ガイド円筒部３５に一体として接続される。
【００２７】
下部ガイド円筒部３６は、中間部ガイド円筒部３５の外径と同様の外径を有すると共に、中間部ガイド円筒部３５の内径と同様の内径を有する円筒形状の部分である。下部ガイド円筒部３６の下端部分には、これの外周面から外側に突出して、中間弁座部１４ｂが、周方向に環状に連続して設けられている。中間弁座部１４ｂと、中間部ガイド円筒部３５の下端拡径部３５ｂの下端部との間の、液シリンダー２８の内部に配設される下部ガイド円筒部３６の外周部分には、当該下部ガイド円筒部３６をガイドとして、当該下部ガイド円筒部３６の外周面に沿って上下に摺動可能な状態で、第ニ液ピストン１５の切欠筒状装着部１５ｂが装着される。
【００２８】
また、下部ガイド円筒部３６の下端部における、中間弁座部１４ｂの上方に隣接する部分には、流通下部開口３６ａが、周方向に間隔をおいて複数箇所に開口形成されていると共に、下部ガイド円筒部３６の上端部における、中間部ガイド円筒部３５の下端拡径部３５ｂの下方に隣接する部分には、流通上部開口３６ｂが、周方向に間隔をおいて複数箇所に開口形成されている。下部ガイド円筒部３６の下端開口（第一液ピストン１４の下端開口）には、上述のように、下部液開閉弁１９ａを下端部に備える棒状弁体１９の摺動ロッド部１９ｂが、下部ガイド円筒部３６の内周面に沿って液密に密着した状態で、摺動可能に挿入される。
【００２９】
第ニ液ピストン１５は、図５（ａ）、（ｂ）にも示すように、下部ガイド円筒部３６をガイドとしてこれの外周面に沿って摺動可能に装着される切欠筒状装着部１５ｂと、切欠筒状装着部１５ｂの下端部分から外側に張り出して設けられた液室張出し部１５ｃとからなる。切欠筒状装着部１５ｂは、本実施形態では、下部ガイド円筒部３６の外径と同様の内径を有する略円筒形状の部分である。切欠筒状装着部１５ｂには、これの上端面から下端部分の液室張出し部１５ｃに近接する位置まで、下方に向けて縦長帯状に切り込まれた切欠部１５ｄが、好ましくは周方向に等角度間隔をおいて３箇所に形成されている。切欠筒状装着部１５ｂは、各々の切欠部１５ｄが、これらの下端部分においては、下部ガイド円筒部３６に形成された、流通下部開口３６ａに重なるように配置されると共に、これらの上端部分においては、流通上部開口３６ｂに重なるように配置された状態で、下部ガイド円筒部３６に装着される。
【００３０】
液室張出し部１５ｃは、切欠筒状装着部１５ｂの下端部における、切欠部１５ｄの下方に近接する部位の外周面から外側に一体として張り出して、円環状に連続して設けられた部分である。液室張出し部１５ｃの先端の周縁部には、液シリンダー２８の下部拡径部２８ｂの内周面に沿って密着摺動する下部液室密着外周部１５ａが、一体として形成されている。下部液室密着外周部１５ａは、液室張出し部１５ｃとの接続部を折曲り部として外側に折れ曲がった、上部密着片と下部密着片とを有する略くの字の断面形状を備えており、上部密着片と下部密着片とを弾性変形させつつ、これらの先端部を液シリンダー２８の下部拡径部２８ｂの内周面に密着させることで、２重構造の強固なシール機能を発揮するようになっている。切欠筒状装着部１５ｂの下端部の液室張出し部１５ｃよりも下方に突出する部分は、好ましくは液室張出し部１５ｃと共に、第一液ピストン１４の下端部外周面から外側に突出して設けられた中間弁座部１４ｂに開閉可能に密着する、中間液開閉弁１５ｅを形成している。
【００３１】
棒状弁体１９は、棒状の摺動ロッド部１９ｂの下端部分に拡径膨出した下部液開閉弁１９ａを備える、中実の略円柱ロッド形状の部分である。摺動ロッド部１９ｂは、第一液ピストン１４の下部ガイド円筒部３６の内径と同様の外径を有しており、下部ガイド円筒部３６の下端開口を介して、下部ガイド円筒部３６の内周面に外周面を液密に密着させた状態で、これの上端側から下部ガイド円筒部３６の中空内部に向けて摺動可能に挿入される。摺動ロッド部１９ｂは、ポンプヘッド部１２の上死点においても（図２参照）、これの上端が、下部ガイド円筒部３６に形成された流通下部開口３６ａの上方に配置されるように、下部ガイド円筒部３６の内部に挿入される。これによって、摺動ロッド部１９ｂは、下部ガイド円筒部３６に形成された流通下部開口３６ａの内側開口面を内側から覆うことで、下部液流通開口３６ａを常時内側から閉塞した状態のまま、下部ガイド円筒部３６の内周面に沿って軸方向に摺動できるようになっている。
【００３２】
また、本実施形態では、棒状弁体１９の下部液開閉弁１９ａには、これの外周部分から外側に環状に突出して、スプリング当接段部１９ｃが設けられている。このスプリング当接段部１９ｃに下端部を当接させると共に、第一液ピストン１４の下端部に設けられた中間弁座部１４ｂに上端部を当接させて、コイル状のスプリング部材２９が、棒状弁体１９の外周部分に装着されている。棒状弁体１９の下部液開閉弁１９ａは、ポンプヘッド部１９への押圧操作により第一液ピストン１４が下方に押し込まれた際に、液シリンダー２８の下部拡径部２８ｂの下端部に設けられた下部弁座部２８ｃに密着する。これによって、下部拡径部２８ｂの下方の下端流入口２８ｄを介した、容器本体５１から液シリンダー２８の内部への内容液の流入を、遮断することが可能になる。
【００３３】
エアシリンダー２４の中空内部に配置される空気ピストン１６は、上述のように、第一液ピストン１４の外周面に沿って摺動可能に装着される筒状装着部１６ｂと、筒状装着部１６ｂから外側に張り出して設けられた、周縁部に空気室密着外周部１６ａを備える空気室張出し部１６ｃとからなり、さらに、空気室張出し部１６ｃの筒状装着部１６ｂへの接続基端部分から上方に延設して、開閉リング部１６ｄが設けられている。
【００３４】
筒状装着部１６ｂは、第一液ピストン１４の中間部ガイド円筒部３５の外径と同様の内径を有する円筒形状の部分であって、中間部ガイド円筒部３５の外周面に軽く密着した遊嵌状態で、当該中間部ガイド円筒部３５の外周面に沿って上下に摺動できるようになっている。筒状装着部１６ｂは、中間部ガイド円筒部３５の、段差当接部３５ａと上部接続円筒部３４の下端との間の部分の長さよりも、僅かに短い長さを有している。筒状装着部１６ｂは、これの下端面を、中間部ガイド円筒部３５の段差当接部３５ａに密着当接させると共に、開閉リング部１６ｄの先端面を、接続筒体３１の下端部分に形成された当接切欠段差溝３１ｃの切欠段差面から離間させて、第２空気流路４１ｂを開放した状態（図５参照）と、これの下端面を、中間部ガイド円筒部３５の段差当接部３５ａから離間させると共に、開閉リング部１６ｄの先端面を、接続筒体３１の下端部分に形成された当接切欠段差溝３１ｃの切欠段差面に密着当接させて、第１空気流路４１ａを開放させた状態（図３参照）とを、切り換えることが可能なように、中間部ガイド円筒部３５の外周面に沿って摺動して、当該中間部ガイド円筒部３５に対して上下に相対的にスライド移動できるようになっている。
【００３５】
また、筒状装着部１６ｂの内側面には、空気を流通させる空気流通溝４３が、上下方向に延設して切欠き形成されている。空気流通溝４３が設けられていることにより、筒状装着部１６ｂの下端面を、中間部ガイド円筒部３５の段差当接部３５ａから離間させた状態で、接続筒体３１に形成された空気流通溝４２と共に、エアシリンダー２４の下方空気室２４ａから混合室１３に至る、第１空気流路４１ａ（図３参照）を形成できるようになっている。
【００３６】
空気室張出し部１６ｃは、筒状装着部１６ｂの上端部から斜め上方に連続して、径方向外側に張り出すように延設して設けられた円環帯板形状の部分である。空気室張出し部１６ｃの先端の周縁部には、エアシリンダー２４の内周面に沿って密着摺動する空気室密着外周部１６ａが、一体として形成されている。空気室張出し部１６ｃによって、エアシリンダー２４の中空内部は、下方空気室２４ａと上方空気室２４ｂとに、気密に仕切られた状態で上下に区画される。これらの空気室２４ａ、２４ｂは、空気室張出し部１６ｃの上下の移動に伴って、容積を減容又は増容させる。空気室密着外周部１６ａは、空気室張出し部１６ｃとの接続部を折曲り部として外側に折れ曲がった、上部密着片と下部密着片とを有する略くの字の断面形状を備えており、上部密着片と下部密着片とを弾性変形させつつ、これらの先端部をエアシリンダー２４の内周面に密着させることで、２重構造の強固なシール機能を発揮するようになっている。
【００３７】
本実施形態では、空気室張出し部１６ｃは、筒状装着部１６ｂの上端部から斜め上方に連続して、いわばバンザイをした状態で、径方向外側に張り出すように延設して設けられているので、例えば外部から水がエアシリンダー２４の上方空気室２４ｂや下方空気室２４ａに浸入した際に、侵入した水を、開閉リング部１６ｄや中間部ガイド円筒部３５が配置された中心側に移動させ易くして、内容液を吐出する際に空気の流れと共に混合室１３に送り出すことで、泡状にして容器の外部に排出することが可能になる。
【００３８】
開閉リング部１６ｄは、空気室張出し部１６ｃの筒状装着部１６ｂへの接続基端部分から上方に延設して設けられた、円筒形状の部分である。開閉リング部１６ｄは、これの内周面が、筒状装着部１６ｂの内周面から、好ましくは第一液ピストン１４の上部接続円筒部３４の肉厚と同程度離れた位置に配置されて、筒状装着部１６ｂと同心状に設けられる。これによって、開閉リング部１６ｄは、接続筒体３１の下端部分において、第一液ピストン１４の上部接続円筒部３４の下端部外周面との間に形成された当接切欠段差溝３１ｃに、先端面が切欠段差面に密着当接する深さまで、挿入できるようになっている。
【００３９】
空気ピストン１６と、第一液ピストン１４と、第ニ液ピストン１５とからなるピストン部２０と共に、泡吐出器１０のポンプ１８を構成するシリンダー部１７は、上述のように、泡吐出容器５０の容器本体５１の口首部５２の内側に配置される大径のエアシリンダー２４と、エアシリンダー２４から下方に連設して設けられた、上部縮径部２８ａ及び下部拡径部２８ｂを備える、エアシリンダー２４よりも小径の液シリンダー２８とを含んで形成されている。
【００４０】
また、本実施形態では、図２に示すように、エアシリンダー２４の外周面を外側から覆って、筒状被覆体３７が、当該エアシリンダー２４の外周面との間に隙間を保持した状態で取り付けられている。
【００４１】
本実施形態では、筒状被覆体３７は、上端部分の内側面から内側に張り出して空気室蓋部３８が一体として設けられた、エアシリンダー２４の外径よりも若干大きな内径を有する略円筒形状の部分である。筒状被覆体３７には、上端部から外側に折れ曲がって、環状接続片３７ａが設けられている。この環状接続片３７ａを、キャップ部１１の天井部１１ａの下面側に設けられた接続凹嵌部１１ｂに嵌め込んで、筒状被覆体３７がキャップ部１１に一体として強固に接続される。本実施形態では、キャップ部１１に強固に接続された筒状被覆体３７に支持させた状態で、エアシリンダー２４や、これの下方に連設する液シリンダー２８が、キャップ部１１に取り付けられている。
【００４２】
また、本実施形態では、エアシリンダー２４及び液シリンダー２８は、エアシリンダー２４と液シリンダー２８の上部縮径部２８ａとを一体成形した第１成形品３９ａと、液シリンダー２８の下部拡径部２８ｂを成形した第２成形品３９ｂとの２部品を一体として接続することによって形成されている。第１成形品３９ａは、エアシリンダー２４の円筒形状の外周壁部２４ｃ（図２参照）と、外周壁部２４ｃの下端部から内側に向けて斜め下方にすり鉢状に延設して形成された底壁部２４ｄと、底壁部２４ｄの下端部から下方に延設して円筒形状に形成された上部縮径部２８ａとを有する部品である。本実施形態では、第１成形品３９ａは、さらに、エアシリンダー２４の外周壁部２４ｃの、底壁部２４ｄとの接続部分から外側に突出して、第１接続基台部２４ｅが、周方向に連続して環状に設けられている。
【００４３】
本実施形態では、第１成形品３９ａによるエアシリンダー２４の底壁部２４ｄが、外周壁部２４ｃの下端部から内側に向けて斜め下方にすり鉢状に延設して形成されているので、例えば外部から水がエアシリンダー２４の下方空気室２４ａに浸入した際に、侵入した水を、筒状装着部１６ｂや中間部ガイド円筒部３５が配置された中心側に移動させ易くして、内容液を吐出する際に空気の流れと共に混合室１３に送り出すことで、泡状にして容器の外部に排出することが可能になる。
【００４４】
第１接続基台部２４ｅの上面には、筒状被覆体３７の下端部を嵌め込んだ状態で接続させる、下部嵌込み凹部２４ｆが形成されている。また、筒状被覆体３７の上端部分に設けられた空気室蓋部３８の下面には、第１成形品３９ａによるエアシリンダー２４の外周壁部２４ｃの上端部を嵌め込んだ状態で接続させる、上部嵌込み凹部３８ａが形成されている。エアシリンダー２４の外周壁部２４ｃの上端部を空気室蓋部３８の上部嵌込み凹部３８ａに、筒状被覆体３７の下端部を第１成形品３９ａの第１接続基台部２４ｅの下部嵌込み凹部２４ｆに各々嵌め込むことで、筒状被覆体３７とエアシリンダー２４の外周壁部２４ｃとの間に間隔を保持した状態で、筒状被覆体３７に支持させて、第１成形品３９ａが当該筒状被覆体３７に一体として強固に接続される。
【００４５】
また、本実施形態では、筒状被覆体３７とエアシリンダー２４の外周壁部２４ｃとの間隔部分の上方の空気室蓋部３８には、補助通気口２５ｃが、周方向に間隔をおいて複数箇所に設けられている。エアシリンダー２４の外周壁部２４ｃの第１接続基台部２４ｅと近接する下端部分には、下方空気室通気口２５ａが、周方向に間隔をおいて複数箇所に設けられている。空気室蓋部３８の接続筒体３１の外周面と隣接する部分には、上方空気室通気口２５ｂが、周方向に間隔をおいて複数箇所に設けられている。各々の下方空気室通気口２５ａや上方空気室通気口２５ｂを内側から開閉可能に覆って、下方空気室２４ａや上方空気室２４ｂへの空気の流入を許容し、下方空気室２４ａや上方空気室２４ｂから外部への空気の流出を遮断する逆止弁２６ａ，２６ｂが、各々設けられている。
【００４６】
さらに、本実施形態では、第１成形品３９ａにおけるエアシリンダー２４の底壁部２４ｄから下方に円筒形状に延設して、液シリンダー２８の上部縮径部２８ａと間隔をおいて外側に配置された接続円筒部４４が設けられている。接続円筒部４４は、液シリンダー２８の上部縮径部２８ａと同心状に配置されると共に、エアシリンダー２４の底壁部２４ｄの中間部分から下方に連続して、上部縮径部２８ａと略同様の長さで設けられている。接続円筒部４４は、これの下端部が、液シリンダー２８の第２成形品３９ｂによる下部拡径部２８ｂの上端部から外側に張り出して、周方向に連続して環状に設けられた第２接続基台部４３ａの、上面に形成された下部嵌込み凹部４３ｂに嵌め込まれることによって、第１成形品３９による液シリンダー２８の上部縮径部２８ａの下端部に、第２成形品３９ｂによる液シリンダー２８の下部拡径部２８ｂが一体として接続される。
【００４７】
第２成形品３９ｂは、第１成形品３９ａの上部縮径部２８ａと共に液シリンダー２８を構成する、下端部に縮径した下部弁座部２８ｃを備える略円筒形状の下部拡径部２８ｂを形成する部品である。第２成形品３９ｂによる下部拡径部２８ｂは、その主要部分である円筒形状部分が、上部縮径部２８ａの外径と同様の内径を備えており、且つ接続円筒部４４の内径と同様の外径を備えている。これによって、下部拡径部２８ｂの円筒形状部分の肉厚が、同心状に配置された第１成形品３９ａの上部縮径部２８ａと接続円筒部４４との間の間隔幅と、同様の厚さとなっている。また、第２成形品３９ｂによる下部拡径部２８ｂの上端部には、上端面からやや下がった位置から外側に突出して、Ｌ字形断面形状を有する第２接続基台部４３ａが、周方向に連続して環状に設けられている。第２接続基台部４３ａは、上方に折れ曲がるＬ字形断面形状となるように張り出していることで、下部拡径部２８ｂの上端部との間に、接続円筒部４４の下端部を嵌め込む下部嵌込み凹部４３ｂを形成している。
【００４８】
この下部嵌込み凹部４３ｂに、第１成形品３９ａによる接続円筒部４４の下端部を嵌め込むと共に、下部拡径部２８ｂの上端部を、第１成形品３９ａによる上部縮径部２８ａの下端部と接続円筒部４４の下端部との間の間隔部分を嵌め込んだ状態で、第１成形品３９ａに支持させて、当該第１成形品３９ａに、第２成形品３９ｂによる液シリンダー２８の下部拡径部２８ｂが、上部縮径部２８ａよりも内径が大きくなった部分として一体として強固に接続される。
【００４９】
また、第２成形品３９ｂによる液シリンダー２８の下部拡径部２８ｂの下端部には、主要部分である円筒形状部分よりも内径が小さくなった、下部弁座部２８ｃが設けられている。この下部弁座部２８ｃには、上述のように、棒状弁体１９の下部液開閉弁１９ａが開閉可能に密着する。液シリンダー２８の下部拡径部２８ｂの下端部には、下部弁座部２８ｃからさらに下方に延設して、下端面が下端流入口２８ｄとして開口することで容器本体５１から液シリンダー２８の内部に内容液を導入する、導入筒部２８ｅが設けられている。
【００５０】
そして、上述の構成を備える本実施形態の泡吐出器１０によれば、図２に示すポンプヘッド部１２を押圧する前の、ポンプヘッド部１２が上死点に位置する状態から、ポンプヘッド部１２を下方に押し込む操作を行うと、空気ピストン１６の空気室密着外周部１６ａの、エアシリンダー２４の内周面に対する密着力の方が、空気ピストン１６の筒状装着部１６ｂの、第一液ピストン１４の外周面に対する密着力、及び第一液ピストン１４の上部液室密着外周部１４ａの、液シリンダー２８の上部縮径部２８ａの内周面に対する密着力よりも大きくなっていることから、まず、空気ピストン１６の筒状装着部１６ｂは、第一液ピストン１４が下方に僅かに移動することで、当該第一液ピストン１４の外周面に対して相対的に上方にスライド移動する（図３参照）。
【００５１】
これによって、空気ピストン１６は、ポンプヘッド部１２を押圧する前の、筒状装着部１６ｂの下端面を、中間部ガイド円筒部３５の段差当接部３５ａに密着当接させると共に、開閉リング部１６ｄの先端面を、接続筒体３１の下端部分に形成された当接切欠段差溝３１ｃの切欠段差面から離間させた状態（図２参照）から、筒状装着部１６ｂの下端面を、中間部ガイド円筒部３５の段差当接部３５ａから離間させると共に、開閉リング部１６ｄの先端面を、接続筒体３１の下端部分に形成された当接切欠段差溝３１ｃの切欠段差面に密着当接させた状態（図３参照）に切り替わる。またこれによって、下方空気室２４ａから、筒状装着部１６ｂに形成された空気流通溝４３及び接続筒体３１に形成された空気流通溝４２を介して混合室１３に至る、第１空気流路４１ａが開放される。
【００５２】
また、第ニ液ピストン１５の下部液室密着外周部１５ａの、液シリンダー２８の下部拡径部２８ｂの内周面に対する密着力の方が、第ニ液ピストン１５の切欠筒状装着部１５ｂの、下部ガイド円筒部３６の外周面に対する密着力よりも大きくなっていることから、第ニ液ピストン１５の切欠筒状装着部１５ｂは、下部ガイド円筒部３６が下方に僅かに移動することで、当該下部ガイド円筒部３６の外周面に対して相対的に上方にスライド移動する（図３参照）。
【００５３】
これによって、第ニ液ピストン１５は、ポンプヘッド部１２を押圧する前の、切欠筒状装着部１５ｂの下端部の中間液開閉弁１５ｅを、第一液ピストン１４の下部ガイド円筒部３６の下端部の中間弁座部１４ｂに密着当接させると共に、切欠筒状装着部１５ｂの上端面を、中間部ガイド円筒部３５の下端拡径部３５ｂから離間させた状態（図２参照）から、切欠筒状装着部１５ｂの下端面を、下部ガイド円筒部３６の中間弁座部１４ｂから離間させると共に、切欠筒状装着部１５ｂの上端面を、中間部ガイド円筒部３５の下端拡径部３５ｂの下端面に密着当接させた状態（図３参照）に切り替わる。またこれによって、液シリンダー２８の下部拡径部２８ｂから、下部ガイド円筒部３６の下端部に形成された流通下部開口３６ａ及び切欠筒状装着部１５ｂの切欠部１５ｄを介して上部縮径部２８ａに至り、さらに下部ガイド円筒部３６の上端部に形成された流通上部開口３６ｂを介して第一液ピストン１４の内部の流通路に至り、さらにボール弁３３を押し上げながら液流出口３４ｂから混合室１３に至る、第１液流路４０ａが開放される。
【００５４】
このようにして第１液流路４０ａ及び第１空気流路４１ａを開放させた状態から、ポンプヘッド部１２をさらに下方に押し込めば、図３に示すように、第一液ピストン１４の下降に伴って、棒状弁体１９の下端部の下部液開閉弁１９ａが、液シリンダー２８の下部拡径部２８ｂの下端部に設けられた下部弁座部２８ｃに密着することで、下部拡径部２８ｂの下端部が閉塞されると共に、液シリンダー２８の内部に貯留されていた内容液が押し出されて、第１液流路４０ａを介して混合室１３に送り出される。また、空気ピストン１６の下降に伴って、下方空気室２４ａに設けられた下方空気室通気口２５ａが、逆止弁２６ａによって閉塞されると共に、下方空気室２４ａの内部の空気が押し出されて、第１空気流路４１ａを介して混合室１３に送り出される。
【００５５】
混合室１３に送り出された内容液と空気とは、混合室１３において混合され、泡生成部材３０を通過することで泡状に発泡した後に、発泡流路２１を介してポンプヘッド部１２の先端の吐出口１２ａから吐出される。
【００５６】
また、空気ピストン１６の下降に伴って、エアシリンダー２４の上方空気室２４ｂが負圧になるので、上方空気室２４ｂに設けられた上方空気室通気口２５ｂを開閉する逆止弁２６ｂが開放されて、外部の空気が、例えばポンプヘッド部１２のスカート状カバー２７とキャップ部１１のガイドステム２３との間の隙間や、キャップ部１１のガイドステム２３と中空パイプ２２や接続筒体３１との間の隙間を介して、上方空気室通気口２５ｂから上方空気室２４ｂの内部に流入する。
【００５７】
このような、ポンプヘッド部１２が下方に押し込まれる往路における、空気と混合させることで泡状にした内容液の吐出は、図４に示す、例えばポンプヘッド部１２のスカート状カバー２７の下端がキャップ部１１の天井部１１ａに当接することで、ポンプヘッド部１２をこれ以上押し下げることができなくなった下死点に至るまで、連続して行うことができる。
【００５８】
そして、本実施形態の泡吐出器１０は、例えば図４に示すポンプヘッド部１２が下死点に位置する状態から、ポンプヘッド部１２への押圧を開放することで、押し込まれたポンプヘッド部１２が、圧縮変形したスプリング部材２９の付勢力の作用によって上方に押し戻される復路においても、内容液を空気と混合させて泡状にして吐出させる機能を備えている。
【００５９】
すなわち、本実施形態の泡吐出器１０によれば、ポンプヘッド部１２への押圧を開放すると、上述のように、空気ピストン１６の空気室密着外周部１６ａの、エアシリンダー２４の内周面に対する密着力の方が、空気ピストン１６の筒状装着部１６ｂの、第一液ピストン１４の外周面に対する密着力、及び第一液ピストン１４の上部液室密着外周部１４ａの、液シリンダー２８の上部縮径部２８ａの内周面に対する密着力よりも大きくなっていることから、スプリング部材２９の付勢力によって、まず、空気ピストン１６の筒状装着部１６ｂは、第一液ピストン１４が上方に僅かに移動することで、当該第一液ピストン１４の外周面に対して相対的に下方にスライド移動する（図５参照）。
【００６０】
これによって、空気ピストン１６は、ポンプヘッド部１２への押圧を開放する前の、筒状装着部１６ｂの下端面を、中間部ガイド円筒部３５の段差当接部３５ａから離間させると共に、開閉リング部１６ｄの先端面を、接続筒体３１の下端部分に形成された当接切欠段差溝３１ｃの切欠段差面に密着当接させた状態（図４参照）から、筒状装着部１６ｂの下端面を、中間部ガイド円筒部３５の段差当接部３５ａに密着当接させると共に、開閉リング部１６ｄの先端面を、接続筒体３１の下端部分に形成された当接切欠段差溝３１ｃの切欠段差面から離間させた状態（図５参照）に切り替わる。またこれによって、下方空気室２４ａから、筒状装着部１６ｂに形成された空気流通溝４３及び接続筒体３１に形成された空気流通溝４２を介して混合室１３に至る、第１空気流路４１ａが閉塞されると共に、上方空気室２４ｂから、接続筒体３１に形成された空気流通溝４２を介して混合室１３に至る、第２空気流路４１ｂが開放される。
【００６１】
また、上述のように、第ニ液ピストン１５の下部液室密着外周部１５ａの、液シリンダー２８の下部拡径部２８ｂの内周面に対する密着力の方が、第ニ液ピストン１５の切欠筒状装着部１５ｂの、下部ガイド円筒部３６の外周面に対する密着力よりも大きくなっていることから、第ニ液ピストン１５の切欠筒状装着部１５ｂは、下部ガイド円筒部３６が上方に僅かに移動することで、当該下部ガイド円筒部３６の外周面に対して相対的に下方にスライド移動する（図３参照）。
【００６２】
これによって、第ニ液ピストン１５は、ポンプヘッド部１２への押圧を開放する前の、切欠筒状装着部１５ｂの下端面を、下部ガイド円筒部３６の中間弁座部１４ｂから離間させると共に、切欠筒状装着部１５ｂの上端面を、中間部ガイド円筒部３５の下端拡径部３５ｂの下端面に密着当接させた状態（図４参照）から、切欠筒状装着部１５ｂの下端部の中間液開閉弁１５ｅを、第一液ピストン１４の下部ガイド円筒部３６の下端部の中間弁座部１４ｂに密着当接させると共に、切欠筒状装着部１５ｂの上端面を、中間部ガイド円筒部３５の下端拡径部３５ｂから離間させた状態（図５参照）に切り替わる。また切欠筒状装着部１５ｂの下端部の中間液開閉弁１５ｅが、中間弁座部１４ｂに密着することによって、液シリンダー２８の下部拡径部２８ｂから上部縮径部２８ａに至る第１液流路４０ａが閉塞されると共に、上部縮径部２８ａから、下部ガイド円筒部３６の上端部に形成された流通上部開口３６ｂを介して第一液ピストン１４の内部の流通路に至り、さらにボール弁３３を押し上げながら液流出口３４ｂから混合室１３に至る、第２液流路４０ｂが保持されることになる。
【００６３】
このようにして第２液流路４０ｂ及び第２空気流路４１ｂを開放させた状態から、スプリング部材２９の付勢力によって、ポンプヘッド部１２がさらに上方に押し戻されると、図５に示すように、切欠筒状装着部１５ｂの下端部の中間液開閉弁１５ｅを中間弁座部１４ｂに密着させた状態のまま、切欠筒状装着部１５ｂの下端部に設けられた第ニ液ピストン１５の下部液室密着外周部１５ａが、液シリンダー２８の下部拡径部２８ｂの内周面に密着しながら上方に摺動する。
【００６４】
ここで、下部液室密着外周部１５ａが摺動する、液シリンダー２８の下部拡径部２８ｂの中空内部の断面積よりも、これの上方の上部縮径部２８ａの中空内部の断面積のほうが、小さくなっていることから、下部液室密着外周部１５ａが上方に移動するのに伴って、上部縮径部２８ａの内周面に密着する中間部ガイド円筒部３５の下端部の上部液室密着外周部１４ａと、下部拡径部２８ｂの内周面に密着する第ニ液ピストン１５の下端部の下部液室密着外周部１５ａとの間の部分における、上部縮径部２８ａ及び下部拡径部２８ｂの中空内部の容積が減少する。上部液室密着外周部１４ａと下部液室密着外周部１５ａとの間の部分における、上部縮径部２８ａ及び下部拡径部２８ｂの中空内部の容積が減少することにより、これらの内部に貯留されていた内容液が押し出されて、第２液流路４０ｂを介して混合室１３に送り出される。
【００６５】
また、エアシリンダー２４の内周面に空気室密着外周部１６ａを密着させた空気ピストン１６の上昇に伴って、上方空気室２４ｂに設けられた上方空気室通気口２５ｂが、逆止弁２６ｂによって閉塞されると共に、上方空気室２４ｂの内部の空気が押し出されて、第２空気流路４１ｂを介して混合室１３に送り出される。
【００６６】
混合室１３に送り出された内容液と空気とは、ポンプヘッド部１２が下方に押し込まれる往路と同様に、混合室１３において混合され、泡生成部材３０を通過することで泡状に発泡した後に、発泡流路２１を介してポンプヘッド部１２の先端の吐出口１２ａから吐出される。
【００６７】
また、空気ピストン１６の上昇に伴って、エアシリンダー２４の下方空気室２４ａが負圧になるので、下方空気室２４ａに設けられた下方空気室通気口２５ａを開閉する逆止弁２６ａが開放されて、外部の空気が、例えばポンプヘッド部１２のスカート状カバー２７とキャップ部１１のガイドステム２３との間の隙間や、キャップ部１１のガイドステム２３と中空パイプ２２や接続筒体３１との間の隙間を通過し、さらに空気室蓋部３８に形成された補助通気口２５ｃを介して、筒状被覆体３７とエアシリンダー２４の外周壁部２４ｃとの間隔部分に流入した後に、下方空気室通気口２５ａから下方空気室２４ａの内部に流入する。
【００６８】
さらに、第一液ピストン１４の上昇に伴って、中間弁座部１４ｂ及び下部液室密着外周部１５ａよりも下方の部分の、液シリンダー２８の下部拡径部２８ｂの内部が負圧になるので、棒状弁体１９の下部液開閉弁１９ａを液シリンダー２８の下部弁座部２８ｃから解放させて、下端面が下端流入口２８ｄとして開口する導入筒部２８ｅを介して、内容液が容器本体５１から液シリンダー２８の下部拡径部２８ｂの内部に流入する。
【００６９】
このような、押し込まれたポンプヘッド部１２がスプリング部材２９の作用によって上方に押し戻される復路における、空気と混合させることで泡状にした内容液の吐出は、図２に示す、例えば接続筒体３１の上端部に設けられた環状ストッパーリブ３１ｂが、ガイドステム２３の上端部に設けられた環状当接リブ２３ａに下方から当接する、ポンプヘッド部１２の上死点に至るまで、連続して行われることになる。
【００７０】
したがって、本実施形態の泡吐出器１０によれば、ポンプヘッド部１２が押し込まれる往路のみならず、押し込まれたポンプヘッド部１２がスプリング部材２９の作用によって上方に押し戻される復路においても、内容液を空気と混合させて泡状にして吐出させることが可能になる。
【００７１】
またこれによって、例えば内容液の発泡倍率の設計の自由度を向上させたり、泡吐出器１０や泡吐出容器５０を小径化したり、外観デザインや使用する場面の幅を広げたりすることが可能になる。
【００７２】
なお、本発明は上記実施形態に限定されることなく種々の変更が可能である。例えば、エアシリンダーの外周面を外側から覆って筒状被覆体を取り付けて、この筒状被覆体に支持させてエアシリンダーや液シリンダーを設ける必要は必ずしもなく、エアシリンダーをキャップ部の天井部に直接接続して、これらを設けることもできる。エアシリンダーの外周面を外側から覆って筒状被覆体が取り付けられていることにより、容器本体の内部の内容液が、通気口等を介してエアシリンダーの内部に流入するのを、さらに効果的に回避することが可能になる。また、液シリンダーの上部縮径部の外側に接続円筒部が設けられている必要は必ずしも無く、付勢手段は、液シリンダーの下部拡径部に設けられたスプリング部材以外のものであっても良い。
【符号の説明】
【００７３】
１０  泡吐出器（ポンプフォーマー）
１１  キャップ部
１２  ポンプヘッド部
１２ａ  吐出口
１３  混合室
１４  第一液ピストン
１４ａ  上部液室密着外周部
１４ｂ  中間弁座部
１５  第ニ液ピストン
１５ａ  下部液室密着外周部
１５ｂ  切欠筒状装着部
１５ｃ  液室張出し部
１５ｄ  切欠部
１５ｅ  中間液開閉弁
１６  空気ピストン
１６ａ  空気室密着外周部
１６ｂ  筒状装着部
１６ｃ  空気室張出し部
１６ｄ  開閉リング部
１７  シリンダ部
１８  ポンプ
１９  棒状弁体
１９ａ  下部液開閉弁
１９ｂ  摺動ロッド部
２０  ピストン部
２１  発泡流路
２２  中空パイプ
２３  ガイドステム
２４  エアシリンダー
２４ａ  下方空気室
２４ｂ  上方空気室
２５ａ  下方空気室通気口
２５ｂ  上方空気室通気口
２６ａ，２６ｂ  逆止弁
２８  液シリンダー
２８ａ  上部縮径部
２８ｂ  下部拡径部
２９  付勢手段（スプリング部材）
３０  泡生成部材
３３  ボール弁
３７  筒状被覆体
４０ａ  第１液流路
４０ｂ  第２液流路
４１ａ  第１空気流路
４１ｂ  第２空気流路
５０  泡吐出容器（ポンプフォーマー容器）
５１  容器本体
５２  口首部
【図１】
2015098328.tif 000003
【図２】
2015098328.tif 000004
【図３】
2015098328.tif 000005
【図４】
2015098328.tif 000006
【図５】
2015098328.tif 000007
【図６】
2015098328.tif 000008